(57)【要約】【課題】使用者に排熱による不快感を与えることなく、且つ、貯蔵庫と収容部との隙間に滞留する空気による結露発生を効果的に解消する。【解決手段】天板４の下側に構成されて前面が開口する収容部９と、この収容部９内に収容された貯蔵庫２とを備えた貯蔵庫内蔵家具１において、貯蔵庫２は、貯蔵室２１が構成された断熱箱体２０と、断熱箱体２０の開口を開閉自在に閉塞する断熱扉２２と、貯蔵室２１内を冷却、及び／又は、加熱する温調機器３０とを有し、天板４の後端４Ａに立設された縦板６０と、縦板６０の後側に位置して形成され、収容部９内と外部とを連通して貯蔵庫２の温調機器３０からの排熱を排出する排気口６４、６５とを備えた。【選択図】図７
2013011397.tif 000002
【特許請求の範囲】
【請求項１】
天板の下側に構成されて前面が開口する収容部と、該収容部内に収容された貯蔵庫とを備えた貯蔵庫内蔵家具であって、
前記貯蔵庫は、前面が開口して内部に貯蔵室が構成された断熱箱体と、該断熱箱体の開口を開閉自在に閉塞する断熱扉と、前記貯蔵室内を冷却、及び／又は、加熱する温調機器とを有すると共に、
前記天板の後端に立設された縦板と、
該縦板の後側に位置して形成され、前記収容部内と外部とを連通して前記貯蔵庫の温調機器からの排熱を排出する排気口とを備えたことを特徴とする貯蔵庫内蔵家具。
【請求項２】
前記収容部の背板上端は、前記天板よりも後下方に位置しており、前記排気口は、前記背板上端と前記天板後端との間において、上方及び後方に開口して形成されている特徴とする請求項１に記載の貯蔵庫内蔵家具。
【請求項３】
前記天板下側の中央に構成されて前面が開口する物品収納用のラック部と、
該ラック部の開口を開閉自在に閉じるガラス扉とを備え、
前記収容部は前記ラック部の左右両側にそれぞれ構成されており、前記貯蔵庫は各収容部にそれぞれ収容されて各貯蔵庫の断熱扉は前記ガラス扉の左右に並んで配置され、
前記縦板は、前記ラック部から両収容部の上方に渡って延在し、前記排気口は前記各収容部に対応してそれぞれ形成されていることを特徴とする請求項１又は請求項２に記載の貯蔵庫内蔵家具。
【請求項４】
前記貯蔵庫は、前記断熱箱体内に構成されたダクトを備え、
前記温調機器は、前記ダクト内に設けられた吸熱部と、該吸熱部にて冷却された前記ダクト内の冷気を前記貯蔵室内に循環して冷却する冷気循環用ファンと、前記断熱箱体の背面に設けられた放熱部と、該放熱部からの排熱により加熱された空気を前記排気口に向けて吹き出す排気用ファンとを有し、
該排気用ファンから吹き出された空気の一部を前記貯蔵庫と前記収容部間の隙間に流入させることを特徴とする請求項１乃至請求項３のうちの何れかに記載の貯蔵庫内蔵家具。
【請求項５】
前記温調機器は、ペルチェ素子を有し、前記吸熱部は前記ペルチェ素子の冷却面に、前記放熱部は前記ペルチェ素子の放熱面にそれぞれ熱伝導関係に設けられていることを特徴とする請求項４に記載の貯蔵庫内蔵家具。
【請求項６】
前記温調機器は、前記断熱箱体の背面に設けられて回転軸を備えたモータを有し、
前記冷気循環用ファンは前記回転軸の一端に取り付けられて前記吸熱部の上方に位置し、前記排気用ファンは前記回転軸の他端に取り付けられて前記放熱部の上方に位置していることを特徴とする請求項５に記載の貯蔵庫内蔵家具。
【請求項７】
前記貯蔵庫は、前記貯蔵室内架設された棚を備え、
前記温調機器は、前記棚に設けられて前記貯蔵室内を加熱する電気ヒータを有することを特徴とする請求項１乃至請求項６のうちの何れかに記載の貯蔵庫内蔵家具。
【発明の詳細な説明】
【技術分野】
【０００１】
本発明は貯蔵室内を冷却、及び／又は、加熱する温調機器を有する貯蔵庫を収容部内に収容した貯蔵庫内蔵家具に関する。
【背景技術】
【０００２】
従来より、台所や応接室、ホテルの客室において、冷蔵庫などの温調機器を有した貯蔵庫を設置する場合、周辺に設置された家具との調和を図るため、厨房家具やサイドボードの収容部内に冷蔵庫を収容した冷蔵庫ビルトイン家具等が開発されている。
【０００３】
収容部内に収容される冷蔵庫は、断熱箱体内に貯蔵室が構成され、この断熱箱体内に冷凍サイクルを構成する蒸発器、又は、ペルチェ素子の冷却面と熱伝導可能に設けられた冷却フィンが配置され、断熱箱体外に冷凍サイクルを構成する凝縮器や、又は、ペルチェ素子の放熱面と熱伝導可能に設けられた放熱フィンが配置されている。
【０００４】
例えば、特許文献１に記載の調理台では、前面部が開口した収納部が形成され、この収納部内に冷蔵庫が前方から入れて据え付け固定されている。
【先行技術文献】
【特許文献】
【０００５】
【特許文献１】特開２００６−１０２５０号公報
【発明の概要】
【発明が解決しようとする課題】
【０００６】
従来の冷蔵庫を収容した調理台等では、冷蔵庫本体と収納部の内壁との間に空気が流通可能な隙間を設けて、圧縮機や凝縮器、又は、放熱フィンの近傍に設けられた放熱用の送風機を運転することで、これら圧縮機等からの排熱を当該隙間を介して外部に排出していた。
【０００７】
この場合、収納部は前方にのみ開放して構成されているため、外気は冷蔵庫の前方から当該冷蔵庫と収納部との間に吸い込まれ、圧縮機等を冷却した後、排熱は、冷蔵庫の前面と収納部の前面との間に形成された隙間から外部に排出されることとなる。これにより、冷蔵庫の前側に立つ使用者に向けて熱風が排出されるため、不快感を与える問題があった。
【０００８】
本発明は、従来の技術的課題を解決するためになされたものであり、使用者に排熱による不快感を与えることなく、且つ、貯蔵庫と収容部との隙間に滞留する空気による結露発生を効果的に解消することができる貯蔵庫内蔵家具を提供する。
【課題を解決するための手段】
【０００９】
上記課題を解決するために、本発明の貯蔵庫内蔵家具は、天板の下側に構成されて前面が開口する収容部と、該収容部内に収容された貯蔵庫とを備えたものであって、貯蔵庫は、前面が開口して内部に貯蔵室が構成された断熱箱体と、該断熱箱体の開口を開閉自在に閉塞する断熱扉と、貯蔵室内を冷却、及び／又は、加熱する温調機器とを有すると共に、天板の後端に立設された縦板と、該縦板の後側に位置して形成され、収容部内と外部とを連通して貯蔵庫の温調機器からの排熱を排出する排気口とを備えたことを特徴とする。
【００１０】
請求項２の発明は、上記発明において、収容部の背板上端は、天板よりも後下方に位置しており、排気口は、背板上端と天板後端との間において、上方及び後方に開口して形成されている特徴とする。
【００１１】
請求項３の発明は、上記各発明において、天板下側の中央に構成されて前面が開口する物品収納用のラック部と、該ラック部の開口を開閉自在に閉じるガラス扉とを備え、収容部はラック部の左右両側にそれぞれ構成されており、貯蔵庫は各収容部にそれぞれ収容されて各貯蔵庫の断熱扉はガラス扉の左右に並んで配置され、縦板は、ラック部から両収容部の上方に渡って延在し、排気口は各収容部に対応してそれぞれ形成されていることを特徴とする。
【００１２】
請求項４の発明は、上記各発明において、貯蔵庫は、断熱箱体内に構成されたダクトを備え、温調機器は、ダクト内に設けられた吸熱部と、該吸熱部にて冷却されたダクト内の冷気を貯蔵室内に循環して冷却する冷気循環用ファンと、断熱箱体の背面に設けられた放熱部と、該放熱部からの排熱により加熱された空気を排気口に向けて吹き出す排気用ファンとを有し、該排気用ファンから吹き出された空気の一部を貯蔵庫と収容部間の隙間に流入させることを特徴とする。
【００１３】
請求項５の発明は、上記発明において、温調機器は、ペルチェ素子を有し、吸熱部はペルチェ素子の冷却面に、放熱部はペルチェ素子の放熱面にそれぞれ熱伝導関係に設けられていることを特徴とする。
【００１４】
請求項６の発明は、上記発明において、温調機器は、断熱箱体の背面に設けられて回転軸を備えたモータを有し、冷気循環用ファンは回転軸の一端に取り付けられて吸熱部の上方に位置し、排気用ファンは回転軸の他端に取り付けられて放熱部の上方に位置していることを特徴とする。
【００１５】
請求項７の発明は、上記各発明において、貯蔵庫は、貯蔵室内架設された棚を備え、温調機器は、棚に設けられて貯蔵室内を加熱する電気ヒータを有することを特徴とする。
【発明の効果】
【００１６】
本発明によれば、天板の下側に構成されて前面が開口する収容部と、該収容部内に収容された貯蔵庫とを備えた貯蔵庫内蔵家具において、貯蔵庫は、前面が開口して内部に貯蔵室が構成された断熱箱体と、該断熱箱体の開口を開閉自在に閉塞する断熱扉と、貯蔵室内を冷却、及び／又は、加熱する温調機器とを有するので、貯蔵庫の断熱扉の外面を天板等と調和を図った材質やデザインで構成することにより、当該天板等と調和された貯蔵庫内蔵家具を構成することができる。これにより、貯蔵庫を備えたスペース効率の高い家具を実現することができる。
【００１７】
また、本発明の貯蔵庫内蔵家具は、天板の後端に立設された縦板と、該縦板の後側に位置して形成され、収容部内と外部とを連通して貯蔵庫の温調機器からの排熱を排出する排気口とを備えたことにより、貯蔵庫の温調機器からの排熱を天板の後側から外部に排出することができる。
【００１８】
そのため、従来のように、収容部の前面開口と貯蔵庫の間に形成された隙間から当該排気が排出される場合に比べて、使用者に排気による不快感を与えないものとすることができる。また、天板上に物が載せられた場合であっても、天板の後端には、縦板が立設されているため、当該縦板の後側に位置して形成される排気口が当該物によって塞がれてしまう不都合を回避することができる。これにより、円滑に排熱を処理することができる。
【００１９】
請求項２の発明によれば、上記発明に加えて、収容部の背板上端は、天板よりも後下方に位置しており、排気口は、背板上端と天板後端との間において、上方及び後方に開口して形成されているので、万一、縦板の後側に物が落ちた場合であっても、上方又は後方に開口した排気口にて開口を確保することができる。
【００２０】
請求項３の発明によれば、上記各発明に加えて、天板下側の中央に構成されて前面が開口する物品収納用のラック部と、該ラック部の開口を開閉自在に閉じるガラス扉とを備え、収容部はラック部の左右両側にそれぞれ構成されており、貯蔵庫は各収容部にそれぞれ収容されて各貯蔵庫の断熱扉はガラス扉の左右に並んで配置され、縦板は、ラック部から両収容部の上方に渡って延在し、排気口は各収容部に対応してそれぞれ形成されているので、貯蔵庫を２台備えた家具を外観デザインに大きく支障を来すことなく実現することができる。これにより、家具としての美感の向上を図ることができる。そのため、応接室等に設置した場合に、これら貯蔵庫を冷蔵／冷蔵使用、冷蔵／温蔵使用、温蔵／温蔵使用とすることができ、形態に応じた使い分けを可能とすることができる。
【００２１】
請求項４の発明によれば、上記各発明に加えて、貯蔵庫は、断熱箱体内に構成されたダクトを備え、温調機器は、ダクト内に設けられた吸熱部と、該吸熱部にて冷却されたダクト内の冷気を貯蔵室内に循環して冷却する冷気循環用ファンと、断熱箱体の背面に設けられた放熱部と、該放熱部からの排熱により加熱された空気を排気口に向けて吹き出す排気用ファンとを有し、該排気用ファンから吹き出された空気の一部を貯蔵庫と収容部間の隙間に流入させることにより、貯蔵庫と収容部との間の隙間に滞留しやすい空気を排気用ファンから吹き出される空気によって流通させることができ、貯蔵庫外面への結露発生を効果的に解消することができる。
【００２２】
請求項５の発明によれば、上記発明に加えて、温調機器は、ペルチェ素子を有し、吸熱部はペルチェ素子の冷却面に、放熱部はペルチェ素子の放熱面にそれぞれ熱伝導関係に設けられていることにより、圧縮機等を運転する場合と比べて、冷蔵使用時の静音化を図ることができる。これにより、応接室等への設置により好適となる。また、圧縮機等を備えた冷却装置を用いる場合と比較して、温調機器の設置スペースを格段に縮小することができる。
【００２３】
請求項６の発明によれば、上記発明に加えて、温調機器は、断熱箱体の背面に設けられて回転軸を備えたモータを有し、冷気循環用ファンは回転軸の一端に取り付けられて吸熱部の上方に位置し、排気用ファンは回転軸の他端に取り付けられて放熱部の上方に位置しているので、一つのモータによって冷気循環用ファンと排気用ファンの双方を運転することができる。これにより、コストの削減を図ることができる。
【００２４】
また、モータは、断熱箱体の外側背面に設けられることで、当該モータの運転に伴う排熱によって貯蔵室内の冷却運転に悪影響を及ぼす不都合を回避することができる。更に、このモータの回転軸及びこれに取り付けられた冷気循環用ファンは、断熱箱体内の吸熱部の上方に位置するため、当該吸熱部からの結露が冷気循環用ファンに当たってしまう不都合を回避することができ、漏電の発生を防止することができる。また、モータ及び排気用ファンは、放熱部の上方に位置して設けられるため、上方の設けられた排気口への排熱の排出を円滑に行うことができる。
【００２５】
請求項７の発明によれば、上記各発明に加えて、貯蔵庫は、貯蔵室内架設された棚を備え、温調機器は、棚に設けられて貯蔵室内を加熱する電気ヒータを有することにより、当該電気ヒータによって円滑に貯蔵室内を加熱することができる。これにより、ペルチェ素子による加熱運転よりも高い能力にて貯蔵室内を加熱することができる。
【図面の簡単な説明】
【００２６】
【図１】貯蔵庫内蔵家具の内部透視正面図である。
【図２】図１の貯蔵庫内蔵家具の断熱扉を開放した状態の一部透視平面図である。
【図３】図１の貯蔵庫内蔵家具の横断概略平面図である。
【図４】図３の部分拡大図である。
【図５】図１の貯蔵庫内蔵家具の一部透視背面図である。
【図６】貯蔵庫内蔵家具の一部を透視した部分背面図である。
【図７】貯蔵庫内蔵家具の側断面図である。
【図８】貯蔵庫の断熱扉を取り外した状態の正面図である。
【図９】貯蔵庫の側面図である。
【図１０】貯蔵庫の背面図である。
【図１１】貯蔵庫の平面図である。
【図１２】貯蔵庫の縦断側面図である。
【発明を実施するための形態】
【００２７】
以下、本発明の貯蔵庫内蔵家具１の実施の形態について、図面を参照して詳細に説明する。図１は貯蔵庫内蔵家具１の内部透視正面図、図２は図１の貯蔵庫内蔵家具１の断熱扉を開放した状態の一部透視平面図、図３は図１の貯蔵庫内蔵家具１の横断概略平面図、図４は図３の部分拡大図、図５は図１の貯蔵庫内蔵家具１の一部透視背面図、図６は貯蔵庫内蔵家具１の一部を透視した部分背面図、図７は貯蔵庫内蔵家具１の側断面図をそれぞれ示している。
【００２８】
本実施例の貯蔵庫内蔵家具１は、例えば、応接室や、ホテルの客室に設置されるサイドボードタイプの家具であり、天板４と、両側板５、５と、背板６と、底板７とから、前面に開口した本体３が構成されている。本体３内には、内部を複数室に区画する区画板８、８が立設されて、天板４下側の中央には、前面が開口する物品収納用のラック部１０が構成されると共に、当該ラック部１０の左右両側には、天板４下側にて前面が開口する収容部９が構成される。尚、本実施例では、区画板８、８によって、側方から順に収容部９、ラック部１０、収容部９が並設されているが、収容部９、及び、ラック部１０の数、位置、区画板８の枚数はこれに限定されない。
【００２９】
そして、天板４、背板６、底板７、両区画板８、８にて囲繞されるラック部１０の前面開口１１は、観音開き式のガラス扉１２、１２にて開閉自在に閉塞される。このラック部１０内には、物品載置用の棚１３が架設されている。また、ラック部１０の左右両側に構成された各収容部９、９のそれぞれには、詳細は後述する貯蔵庫２、２が収容される。
【００３０】
本体３の底面を構成する底板７は、各側板５、５の下端、及び、背板６の下端、即ち、当該貯蔵庫内蔵家具１の設置床面よりも所定寸法高い位置に設けられており、据え付けられた状態で、設置床面と底板７との間に、所定の間隔１４が形成されている。この底板７の四隅には、補強用の脚部１５・・が設けられている。底板７の下方に前面に開口して形成される間隔１４の前面は、左右にわたって下部パネル１６にて閉塞されると共に、収容部９、９の下方に対応する位置には、複数の連通孔１６Ａが形成されている。
【００３１】
また、底板７の下面には、当該底板７下方に形成される間隔１４内を、上方のラック部１０、各収容部９、９に対応する位置にて区画する区画壁１７、１７が下部パネル１６から背板６に渡って設けられている。底板７の後端には、それぞれラック部１０、各収容部９、９に対応する位置に、収容される電子機器の配線や、貯蔵庫２、２の配線Ｌを外部に引き出すための連通孔１８が形成されていると共に、同様に、背板６の下端には、連通孔１９が形成されている。
【００３２】
次に、各収容部９、９内に収容される貯蔵庫２の詳細について図８乃至図１２を参照して説明する。図８は貯蔵庫２の断熱扉２２を取り外した状態の正面図、図９は貯蔵庫２の側面図、図１０は貯蔵庫２の背面図、図１１は貯蔵庫２の平面図、図１２は貯蔵庫２の縦断側面図をそれぞれ示している。尚、両貯蔵庫２、２は略同様の構成とされているため、各図を使用して正面から向かって右側に収容される貯蔵庫２を例に挙げて説明する。
【００３３】
貯蔵庫２は、前面が開口する筐体状の断熱箱体２０により本体が構成されている。この断熱箱体２０は前面に開口を有する例えば硬質合成樹脂製の内箱２５と、前面に開口を有する鋼板製の外箱２６と、これら両箱２５、２６間に発泡充填されたポリウレタン断熱材２７により構成されている。また、外箱２６の背壁（断熱箱体２０の背面２０Ａ）の後方には、背面パネル２３が所定間隔を存して設けられている。この断熱箱体２０の内箱２５の内側（断熱箱体２０の内部）には、前面に開口２４を有した貯蔵室２１が構成されている。
【００３４】
断熱箱体２０の前面には係る開口２４を開閉自在に閉塞する断熱扉２２がヒンジ部材２８により回動自在に枢支されている。本実施例では、貯蔵庫内蔵家具１全体のデザイン性を考慮し、少なくとも断熱扉２２の前面が天板４やガラス扉１２等のデザインに調和した化粧パネル２２Ａにて被覆されていると共に、各収容部９に収容された状態で、貯蔵庫内蔵家具１の端部となる側を中心として断熱扉２２が回動自在に枢支されている。また、各断熱扉２２の非枢支側前面には、開閉操作を行う把手２２Ｂが設けられている。
【００３５】
この貯蔵庫２は、ペルチェユニットＰ、Ｐと、送風機ユニットＦと、電気ヒータＨからなる温調機器３０を有しており、当該温調機器３０により、貯蔵室２１内が冷却、及び／又は、加熱される。
【００３６】
ペルチェユニットＰは、ペルチェ素子３１と、吸熱部３２と、放熱部３３とを有している。ペルチェ素子３１は、断熱箱体２０の背壁に設けられている。本実施例では、係るペルチェユニットＰは、断熱箱体２０の背壁に上下に２つ並設されている。ここで、ペルチェ素子３１は、Ｐ型素子とＮ型素子から成る二種類の熱電半導体を金属電極でπ型に接合して構成され、Ｎ型素子からＰ型素子に向かって電流を流すと、ペルチェ効果により一方の面（冷却面）から吸熱して他方の面（放熱面）から放熱するものであり、このときの冷却作用を利用して貯蔵室２１内を冷却するものである。
【００３７】
貯蔵室２１の内箱２５の背壁２５Ａには、係るペルチェ素子３１の冷却面と熱伝導関係に設けられた吸熱部３２が取り付けられている。本実施例において吸熱部３２は、例えばアルミニウムなどの熱良伝導性材料にて構成される放熱フィンから成る冷却シンクによって構成される。
【００３８】
断熱箱体２０の背面２０Ａには、上記ペルチェ素子３１の放熱面と熱伝導関係に設けられた放熱部３３が取り付けられている。係る本実施例において放熱部３３は、例えばアルミニウムなどの熱良伝導性材料にて構成される放熱フィンから成る放熱シンクによって構成される。
【００３９】
そして、上記吸熱部３２の前側には、内箱２５の背壁２５Ａと所定間隔を存して、吸熱部３２の下方から貯蔵室２１内上部に渡る隔壁３４が、略吸熱部３２の幅寸法に対応して、取り付けられている。断熱箱体２０内に設けられた隔壁３４と背壁２５Ａ間には、上下に渡る冷気ダクト３５が形成され、前記吸熱部３２は、この冷気ダクト３５内に位置する。
【００４０】
隔壁３４の上端は、内箱２５の天壁２５Ｂとの間に間隔を有しており、当該隔壁３４の上端と天壁２５Ｂとの間には、貯蔵室２１の両側壁間に渡って、複数の冷気吐出口３６Ａが形成された冷気吐出部材３６が取り付けられている（図８参照）。また、隔壁３４の下端には、同様に貯蔵室２１の両側壁間に渡って、冷気ダクト３５に連通した冷気吸込口３７が形成されている。
【００４１】
ここで、隔壁３４の前方の貯蔵室２１内には、食品などを載置するための棚３８が架設されている。本実施例では、貯蔵室２１内に２段の棚３８、３８が架設されている。下側に架設される棚３８は、内箱２５の底壁２５Ｃとの間に所定の間隔を存して架設されており、当該下側に架設された棚３８と底壁２５Ｃとの間には、前記冷気ダクト３５内と冷気吸込口３７にて連通した下部ダクト３９が形成される。この下部ダクト３９は、当該下側に架設された棚３８の前端下方において貯蔵室２１内と連通される。
【００４２】
一方、送風機ユニットＦは、冷気循環用ファン４０と、排気用ファン４４と、これらファン４０、４４が取り付けられる回転軸４３を備えたモータ４２とから構成される。上記冷気ダクト３５内には、吸熱部３２の上方に位置して、冷気循環用ファン４０が配設されている。冷気ダクト３５内には、前記隔壁３４及び背壁２５Ａとそれぞれ所定の間隔を存して配設されると共に、冷気循環用ファン３７の冷気流入側と冷気吹出側とを区画するファンケーシング４１が設けられている。
【００４３】
この場合において、冷気循環用ファン４０は、吸熱部３２と熱交換した冷気を前方より吸引し、後方の背壁２５Ａに向けて吹き出すプロペラファンから成る。この冷気循環用ファン４０を回転駆動させるモータ４２は、断熱箱体２０の背面２０Ａに設けられ、当該モータ４２から延出される回転軸４３の一端は、背面２０Ａを貫通して冷気ダクト３５内に臨み、冷気循環用ファン４０が取り付けられる。
【００４４】
そして、このモータ４２の回転軸４３の他端には、放熱部３３の上方に位置して排気用ファン４４が取り付けられている。排気用ファン３３は、放熱部３３と熱交換した排気を後方より吸引し、前方の背面２０Ａに向けて吹き出すプロペラファンから成る。断熱箱体２０の背面２０Ａには、排気用ファン４４の外気流入側と排気吹出側とを区画するファンケーシング４５が設けられている。
【００４５】
放熱部３３の後側には、断熱箱体２０の背面２０Ａと所定間隔を存して、放熱部３３の下方からファンケーシング４５の排気吸込側に渡るダクトパネル４８が、略放熱部３３の幅寸法に対応して取り付けられている。断熱箱体２０の背面２０Ａとダクトパネル４８との間には、上下に渡る排気ダクト４９が形成され、前記放熱部３３は、この排気ダクト４９内に位置する。この排気ダクト４９の下端は、下方に向けて開放される。そして、ファンケーシング４５の排気吹出側は上方に向けて開放している。
【００４６】
断熱箱体２０の背面２０Ａには、更に後方から背面パネル２３が取り付けられ、当該背面パネル２３により、ダクトパネル４８、放熱用ファン４４、モータ４２、ファンケーシング４５が被覆される。この背面パネル２３は、上端が断熱箱体２０の天面よりも低い高さに位置していると共に、下端は開放して形成され、断熱箱体２０の背面２０Ａとの間に排気干渉ダクト４６が形成されている。この排気干渉ダクト４６内の下部に相当する背面パネル２３と背面２０Ａとの間には、ダクトパネル４８にて構成される排気ダクト４９内と、排気干渉ダクト４６内とを区画する閉塞板４７が設けられ、背面パネル２３の下端と背面２０Ａとの間から流入した外気は、ダクトパネル４８下端より排気ダクト４９内に流入し、排熱用ファン４４を経た後、排気干渉ダクト４６内に流入する構成とされている。
【００４７】
そして、この排気干渉ダクト４６を構成する背面パネル２３の上面２３Ａには、排気孔５０が左右方向に渡って複数形成され、両側面２３Ｂ、２３Ｂには、排気孔５１が上下方向に渡って複数形成されている。この背面パネル２３の上面２３Ａには、当該貯蔵庫２のスイッチ等が設けられた操作部５２が設けられている。尚、当該操作部５２は、各収容部９に収容された状態で、貯蔵庫内蔵家具１の端部となる側に設けられている。
【００４８】
上述した如きこれらペルチェユニットＰと、送風機ユニットＦと共に温調機器３０を構成する電気ヒータＨは、上記貯蔵室２１内に架設された各棚３８に設けられる。上記各棚３８は、金属板から成り、その商品載置面の裏側に電気ヒータＨが設けられる。温蔵運転時にはこの電気ヒータＨが発熱して棚上の物品、及び、貯蔵室２１内を加熱保温する。
【００４９】
また、当該貯蔵庫２は、断熱箱体２０の底面２０Ｂには、上記吸熱部３２の下方に対応して当該断熱箱体２０を貫通する排水孔５３が形成されている。この底面２０Ｂは当該排水孔５３に向けて低く傾斜されている。そして、この底面２０Ｂの下面には、脚部５４、５４が前後方向に延在して設けられ、当該貯蔵庫２が収容される収容部９の底面との間に所定の間隔５５が形成される。この間隔５５は、断熱箱体２０の下端よりも下方に延在して設けられる断熱扉２２の化粧パネル２２Ａと収容部９の底面との間において開口している（隙間５５Ａ）。
【００５０】
そして、この底面２０Ｂの下面には、間隔５５内に位置して上面が開口した蒸発皿５６が配置されている。この蒸発皿５６は、断熱扉２２を開放した状態で、前後方向に引出自在とされている。そのため、貯蔵室２１内や吸熱部３２等から流下したドレン水は、底面２０Ｂ上面を伝って、排水孔５３内に流入し、当該排水孔５３下方に設けられた蒸発皿５６内に受容される。
【００５１】
上述した如く構成された貯蔵庫２は、貯蔵庫内蔵家具１の各収容部９、９にそれぞれ収容される。貯蔵庫２が収容部９に収容された状態で、断熱箱体２０の背面２０Ａに取り付けられた背面パネル２３は、収容部９の背面を構成する背板６に当接、若しくは、近接して配置される。これにより、底板７に形成された連通孔１８の上方に、貯蔵庫２の背面パネル２３の下端開口、及び、排気ダクト４９の下端開口が位置する。
【００５２】
また、断熱扉２２の前面は、ラック部１０の前面開口１１を閉塞するガラス扉１２、１２の左右に並んで配置される。この際、各断熱扉２２（化粧パネル２２Ａ）は、図３に示すように、ガラス扉１２、１２と略面一、図７に示すように、天板４の前端と略面一となるように配置される。これにより貯蔵庫内蔵家具１全体の外観を向上させることができる。
【００５３】
ここで、上述した如き貯蔵庫内蔵家具１の天板４の後端４Ａは、収容部９内に収容される断熱箱体２０の背面２０Ａよりも後方であって、背面パネル２３の背面よりも前方となる位置とされ、収容部９の背板６上端は、天板４よりも後下方に位置している。これによって、収容部９の後上端部は、上方及び後方に開口している（収容部上部開口６１）。また、天板４の後端４Ａには、ラック部１０から両収容部９、９の上方に渡って該天板４の左右方向に延在する縦板６０が立設されている。
【００５４】
そして、縦板６０の後下端部（天板４後端）と、背板６の上端に渡って排気口部材６３が設けられる。この排気口部材６３は、断面略Ｌ字状に折曲形成され、ラック部１０から両収容部９、９の上方に渡って該天板４の左右方向に設けられる。当該排気口部材６３によって、各収容部９の収容部上部開口６１が閉塞される。
【００５５】
この排気口部材６３の前面６３Ａには、各収容部９に形成されるそれぞれの収容部上部開口６１に対応する位置に左右方向に渡って、後方に開口した排気口６４が形成されると共に、排気口部材６３の上面６３Ｂには、収容部上部開口６１に対応する位置に左右方向に渡って、上方に開口した排気口６５が形成される。これにより、縦板６０の後側に位置して、収容部９内と外部とを連通する排気口６４、６５が形成されている。尚、この排気口部材６３には、背面パネル２３の上面２３Ａに設けられた操作部５２を外部から操作可能とする図示しない開口が形成されている。
【００５６】
以上の構成により、貯蔵庫２の貯蔵室２１内を冷却する冷蔵運転を行う場合には、ペルチェユニットＰのペルチェ素子３１への給電及び送風機ユニットＦのモータ４２を駆動させる。ペルチェ素子３１への給電によりペルチェ素子３１の吸熱面は冷却され、冷気ダクト３５内に位置する吸熱部３２は、吸熱作用を発揮する。また、ペルチェ素子３１の放熱面は加熱され、放熱面の熱が断熱箱体２０外の排気ダクト４９内に位置する放熱部３３は、加熱される。
【００５７】
モータ４２の駆動によって冷気循環用ファン４０が回転すると、貯蔵室２１内の下側に架設された棚３８の前端下方より下部ダクト３９内に冷気が吸い込まれ、該冷気は冷気吸込口３７を介して冷気ダクト３５内に吸い込まれる。冷気ダクト３５内に吸い込まれた冷気は、吸熱部３２を通風させることで当該吸熱部３２と熱交換して冷却され、冷気循環用ファン４０の前方から吸引されて、後方の内箱２５の背壁２５Ａに向けて吹き出される。冷気循環用ファン４０によって後方に吹き出された冷気は、背壁２５Ａの前面に衝突し、拡散される。
【００５８】
ここで、冷気循環用ファン４０の冷気吹出側には、貯蔵室２１の両側壁間に渡って、複数の冷気吐出口３６Ａが形成された冷気吐出部材３６が取り付けられているため、背壁２５Ａの前面にて拡散された冷気は、貯蔵室２１の左右方向への冷気拡散が円滑に行われ、各冷気吐出口３６Ａより貯蔵室２１内に略均一に吹き出される。貯蔵室２１内に吹き出された冷気は、当該貯蔵室２１内を循環して、貯蔵室２１内を冷却した後、降下して下部ダクト３９内に帰還する。
【００５９】
本実施例において、冷気循環用ファン４０を駆動するモータ４２は、断熱箱体２０の外側背面２０Ａに設けられることで、当該モータ４２の運転に伴う排熱によって貯蔵室２１内の冷却運転に悪影響を及ぼす不都合を回避することができる。また、このモータ４２の回転軸４３及びこれに取り付けられた冷気循環用ファン４０は、断熱箱体２０内の吸熱部３２の上方に位置するため、当該吸熱部３２からの結露が冷気循環用ファン４０に当たってしまう不都合を回避することができ、漏電の発生を防止することができる。
【００６０】
モータ４２が駆動されると、上記冷気循環用ファン４０と共に、排気用ファン４４が回転される。これにより、背面パネル２３の下端と断熱箱体２０の背面２０Ａとの間に閉塞板４７が設けられているため、当該下端の開口を介してダクトパネル４８にて区画形成された排気ダクト４９内に外気が導入される。
【００６１】
この際、背面パネル２３の下端に形成された開口は、底板７の下方に形成された間隔１４と連通する連通孔１８に対応しているため、排気ダクト４９内には、貯蔵庫内蔵家具１の前面に設けられた下部パネル１６の連通孔１６Ａを介して間隔１４内に流入した外気が連通孔１８を介して導入される。これ以外にも、断熱扉２２の化粧パネル２２Ａと収容部９の底面との間の隙間５５Ａから、貯蔵庫２と収容部９底面との間の隙間５５を介して流入した外気が排気ダクト４９内に導入される。
【００６２】
排気ダクト４９内に導入された外気は、当該排気ダクト４９内に配設される放熱部３３を通過して、該放熱部３３からの排熱により加熱された後、排気用ファン４４の後方から吸引されて、前方の断熱箱体２０の背面２０Ａに向けて吹き出される。排気用ファン４４によって前方に吹き出された冷気は、背面２０Ａに衝突し、拡散される。
【００６３】
そして、排気用ファン４４の排気吹出側から吹き出された排気は、背面パネル２３にて形成される排気干渉ダクト４６内に流入し、その一部は、背面パネル２３の上面２３Ａに形成された排気孔５０を通過して、背面パネル２３上方に吹き出される。
【００６４】
ここで、収容部上部開口６１を閉塞する排気口部材６３は、上面６３Ｂが背面パネル２３の上面２３Ａと、所定寸法間隔を存して設けられると共に、前面６３Ａは、排気孔５０の上方に位置して設けられている。これにより、背面パネル２３の排気孔５０より吹き出された排気は、排気口部材６３の排気口６４、６５に向けて吹き出され、当該排気口６４、６５を介して外部に吹き出される。この排気口部材６３は、天板４の後端４Ａに立設された縦板６０の後方に設けられているため、貯蔵庫２の温調機器としての放熱部３３からの排熱を天板４の後側から外部に排出することができる。
【００６５】
そのため、従来のように、貯蔵庫２が収容される収容部９の前面開口と貯蔵庫２の間に形成された隙間から当該排気が排出される場合に比べて、使用者に排気による不快感を与えないものとすることができる。
【００６６】
また、天板４上に物が載せられた場合であっても、天板４の後端４Ａには、縦板６０が立設されているため、当該縦板６０の後側に位置して形成される排気口６４、６５が当該物によって塞がれてしまう不都合を回避することができる。これにより、円滑に排熱を処理することができる。
【００６７】
この排気口６４、６５は、背板６上端と天板４後端４Ａとの間において、上方及び後方に開口して形成されているので、万一、縦板６０の後側に物が落ちた場合であっても、これら上方又は後方に開口した排気口６４、６５にて開口を確保することができる。
【００６８】
そして、上述したように、排気用ファン４４の排気吹出側から排気干渉ダクト４６内に吹き出された排気の一部は、背面パネル２３の上面２３Ａに衝突した後、排気干渉ダクト４６内を降下し、背面パネル２３の両側面２３Ｂに形成された排気孔５１より収容部９内に流出する。
【００６９】
係る背面パネル２３の側面２３Ｂの排気孔５１から収容部９内に流出した排気や、上記上面２３Ａの排気孔５０から流出した収容部９内に流出した排気の一部は、当該収容部９と貯蔵庫２の断熱箱体２０間の隙間６７に流入する。貯蔵庫２の断熱箱体２０の天面２０Ｃと収容部９の天面（天板４の下面４Ｂ）との間の隙間６７や、断熱箱体２０の側面２０Ｄと収容部９の側面（側板５内面５Ａ及び区画板８の収容部９側の面８Ａ）との間の隙間６７には、間隔が狭く空気が滞留しやすい。しかし、本実施例のように、排気用ファン４４から吹き出された空気（排気）の一部を当該隙間６７に流入させることによって、貯蔵庫２と収容部９との間の隙間６７に空気を流通させることができ、貯蔵庫２外面への結露発生を効果的に解消することができる。
【００７０】
また、本実施例では、冷気循環用ファン４０及び排気用ファン４４を駆動するモータ４２と、当該排気用ファン４４は、放熱部３３の上方に位置して設けられるため、上方に設けられた排気口６４、６５への排熱の排出を円滑に行うことができる。この際、冷気循環用ファン４０と排気用ファン４４は、一つのモータ４２の駆動によっての双方を運転することができるため、コストの削減を図ることができる。
【００７１】
他方、貯蔵庫２の貯蔵室２１内を加熱する加熱運転を行う場合には、上記ペルチェ素子３１への通電を遮断し、モータ４２を停止する。そして、貯蔵室２１内に架設された各棚３８の電気ヒータＨを通電制御する。当該電気ヒータＨが発熱することにより、棚３８上の物品や貯蔵室２１内を加熱保温することができる。尚、本実施例では、電気ヒータＨにより貯蔵室２１内を加熱しているが、これに限定されるものではなく、ペルチェ素子３１への通電を逆とすることにより、吸熱部を加熱させて使用してもよい。ただし、本実施例のように、電気ヒータＨを使用することにより、ペルチェ素子３１による加熱運転よりも高い能力にて貯蔵室２１内を円滑に加熱することができる。
【００７２】
このように、上述した如き本実施例の貯蔵庫内蔵家具１は、天板４の下側に前面が開口する収容部９を構成し、当該収容部９内に貯蔵庫２を収容することにより、貯蔵庫２の断熱扉２２の外面を化粧パネル２２Ａによって天板４等と調和を図った材質やデザインで構成することにより、当該天板４等と調和された貯蔵庫内蔵家具を構成することができる。これにより、貯蔵庫２を備えたスペース効率の高い家具を実現することができる。
【００７３】
特に、本実施例では、収容部９、９は、天板４下側中央に構成されたラック部１０の左右両側にそれぞれ構成されて、それぞれ貯蔵庫２、２が収容されて設けられることで、貯蔵庫を２台備えた家具を外観デザインに大きく支障を来すことなく実現することができる。これにより、家具としての美感の向上を図ることができる。そのため、応接室等に設置した場合に、これら貯蔵庫２、２をいずれも冷却運転する冷蔵／冷蔵使用、一方を冷却運転とし、他方を加熱運転する冷蔵／温蔵使用、いずれも加熱運転する温蔵／温蔵使用とすることができる。従って、使用形態に応じた使い分けを可能とすることができ、利便性の向上を図ることができる。
【００７４】
本発明では、前面が開口して内部に貯蔵室２１が構成された断熱箱体２０を有し、前面が開口する被収容空間を有する収容体（本実施例の場合、収容部９を有する貯蔵庫内蔵家具１）に収容される貯蔵庫２において、貯蔵室２１内を冷却、及び／又は、加熱する温調機器３０と、断熱箱体２０内に構成されたダクト３５とを備え、温調機器３０は、ダクト３５内に設けられた吸熱部３２と、該吸熱部３２にて冷却されたダクト３５内の冷気を貯蔵室２１内に循環して冷却する冷気循環用ファン４０と、断熱箱体２０の背面に設けられた放熱部３３と、該放熱部３３からの排熱により加熱された空気を排気口６４、６５に向けて吹き出す排気用ファン４４とを有し、該排気用ファン４４から吹き出された空気の一部を貯蔵庫２と被収容空間である収容部９との間の隙間６７に流入させる。
【００７５】
これにより、貯蔵庫２と被収容空間である収容部９との間の隙間６７に滞留しやすい空気を排気用ファンから吹き出される空気によって流通させることができ、貯蔵庫２外面への結露発生を効果的に解消することができる。
【００７６】
尚、本実施例では、温調機器としてペルチェ素子３１を採用しているため、圧縮機等を備えた冷却装置を採用する場合と比べ、圧縮機等の運転音を排除でき、冷蔵使用時の静音化を図ることができる。これにより、応接室等への設置により好適となる。また、圧縮機等を備えた冷却装置を用いる場合と比較して、温調機器の設置スペースを格段に縮小することができる。
【符号の説明】
【００７７】
Ｐ    ペルチェユニット
Ｆ    送風機ユニット
Ｈ    電気ヒータ
１    貯蔵庫内蔵家具
２    貯蔵庫
４    天板
４Ａ  後端
５    側板
６    背板
７    底板
８    区画板
９    収容部
１０    ラック部
１１    前面開口
１２    ガラス扉
１４    間隔
１６    下部パネル
１６Ａ  連通孔
１７    区画壁
１８、１９  連通孔
２０    断熱箱体
２０Ａ  背面
２１    貯蔵室
２２    断熱扉
２３    背面パネル
２３Ａ  上面
２４    前面開口
２５Ａ  背壁
３０    温調機器
３１    ペルチェ素子
３２    吸熱部
３３    放熱部
３４    隔壁
３５    冷気ダクト
３６    冷気吐出部材
３６Ａ  冷気吐出口
３７    冷気吸込口
３８    棚
３９    下部ダクト
４０    冷気循環用ファン
４２    モータ
４３    回転軸
４４    排気用ファン
４６    排気干渉ダクト
４７    閉塞板
４８    ダクトパネル
４９    排気ダクト
５０、５１  排気孔
５４    脚部
５５    間隔
５６    蒸発皿
６０    縦板
６１    収容部上部開口
６３    排気口部材
６３Ａ  前面
６３Ｂ  上面
６４、６５  排気口
６７    隙間
【図１】
2013011397.tif 000003
【図２】
2013011397.tif 000004
【図３】
2013011397.tif 000005
【図４】
2013011397.tif 000006
【図５】
2013011397.tif 000007
【図６】
2013011397.tif 000008
【図７】
2013011397.tif 000009
【図８】
2013011397.tif 000010
【図９】
2013011397.tif 000011
【図１０】
2013011397.tif 000012
【図１１】
2013011397.tif 000013
【図１２】
2013011397.tif 000014